(57)【要約】【課題】ＤＶＤ−Ｒ・ＤＬ（片面２層の追記型光ディスク）を用いた記録においてファイナライズ前の中間状態で記録の履歴管理を実現し、ファイナライズ後に既存フォーマット（ＤＶＤ−ＲＡＭ／ＲＷのＶＲモード等）との再生互換をとる。【解決手段】ＤＶＤ−Ｒ（ＶＲ）規格で定められているＶＡＴ（Virtual Allocation Table）をＤＶＤ−Ｒ・ＤＬの中間状態で利用することにより、ＤＶＤ−Ｒ・ＤＬでもＤＶＤ−Ｒ（ＶＲ）の履歴管理を可能とする。最終的には、ＤＬの規格に合わせてボリューム構造及びファイル構造を書き直すことで、ＤＶＤ−ＲＡＭ（ＶＲ）等の再生が可能なプレーヤとの互換をとる。【選択図】図１１
2006323889.tif 000002
【特許請求の範囲】
【請求項１】
リードインとリードアウトの間にボリューム構造およびファイル構造の領域と1以上の記録区画を含むことができる片面多層記録領域を持つ光ディスクへデジタル記録を行なう方法であって、
前記ボリューム構造およびファイル構造の領域内に、アンカーポイントの情報書き込み用リザーブ領域を確保するフォーマッティングを行い、
前記リザーブ領域以外の位置に、ファイナライズ前の中間状態でアンカーポイントの情報を格納する仮アンカーポイント領域を確保し、
前記1以上の記録区画にデジタル情報記録を行う記録方法。
【請求項２】
リードインとリードアウトの間にボリューム構造およびファイル構造の領域と1以上の記録区画を含むことができる片面多層記録領域を持つ光ディスクへデジタル記録を行なう方法であって、
前記ボリューム構造およびファイル構造の領域内に、アンカーポイントの情報書き込み用リザーブ領域を確保するフォーマッティングを行い、
前記リザーブ領域以外の位置に、ファイナライズ前の中間状態でアンカーポイントの情報を格納する仮アンカーポイント領域を確保し、
前記中間状態では前記仮アンカーポイント領域に前記アンカーポイントの情報を記録する記録方法。
【請求項３】
リードインとリードアウトの間にボリューム構造およびファイル構造の領域と1以上の記録区画を含むことができる片面多層記録領域を持つ光ディスクへデジタル記録を行なう方法であって、
前記ボリューム構造およびファイル構造の領域内に、アンカーポイントの情報書き込み用リザーブ領域を確保するフォーマッティングを行い、
前記リザーブ領域以外の位置に、ファイナライズ前の中間状態でアンカーポイントの情報を格納する仮アンカーポイント領域を確保し、
前記中間状態では前記仮アンカーポイント領域に前記アンカーポイントの情報を記録し、
前記仮アンカーポイント領域の前記アンカーポイント情報を前記リザーブ領域内の所定位置に書き込む記録方法。
【請求項４】
請求項１に記載の方法で記録が行われるように構成された前記光ディスクを用いる記録装置において、
前記ボリューム構造およびファイル構造の領域内に、アンカーポイントの情報書き込み用リザーブ領域を確保するフォーマッティングを行う手段と、
前記リザーブ領域以外の位置に、ファイナライズ前の中間状態でアンカーポイントの情報を格納する仮アンカーポイント領域を確保する手段と、
前記1以上の記録区画にデジタル情報記録を行う手段を備えた記録装置。
【請求項５】
請求項２に記載の方法で記録が行われるように構成された前記光ディスクを用いる記録装置において、
前記ボリューム構造およびファイル構造の領域内に、アンカーポイントの情報書き込み用リザーブ領域を確保するフォーマッティングを行う手段と、
前記リザーブ領域以外の位置に、ファイナライズ前の中間状態でアンカーポイントの情報を格納する仮アンカーポイント領域を確保する手段と、
前記中間状態では前記仮アンカーポイント領域に前記アンカーポイントの情報を記録する手段と、
前記1以上の記録区画にデジタル情報記録を行う手段を備えた記録装置。
【請求項６】
請求項３に記載の方法で記録が行われるように構成された前記光ディスクを用いる記録装置において、
前記ボリューム構造およびファイル構造の領域内に、アンカーポイントの情報書き込み用リザーブ領域を確保するフォーマッティングを行う手段と、
前記リザーブ領域以外の位置に、ファイナライズ前の中間状態でアンカーポイントの情報を格納する仮アンカーポイント領域を確保する手段と、
前記中間状態では前記仮アンカーポイント領域に前記アンカーポイントの情報を記録する手段と、
前記仮アンカーポイント領域の前記アンカーポイント情報を前記リザーブ領域内の所定位置に書き込む手段と、
前記1以上の記録区画にデジタル情報記録を行う手段を備えた記録装置。
【請求項７】
請求項１に記載の方法で記録が行われた前記光ディスクを用いる再生装置において、
前記ボリューム構造およびファイル構造の領域に記録されたデジタル情報を再生する手段と、
前記1以上の記録区画に記録されたデジタル情報を再生する手段を備えた再生装置。
【請求項８】
請求項２に記載の方法で記録が行われた前記光ディスクを用いる再生装置において、
前記ボリューム構造およびファイル構造の領域に記録されたデジタル情報を再生する手段と、
前記1以上の記録区画に記録されたデジタル情報を再生する手段と、
前記中間状態において前記仮アンカーポイント領域から前記アンカーポイントの情報を再生する手段を備えた再生装置。
【請求項９】
請求項３に記載の方法で記録が行われた前記光ディスクを用いる再生装置において、
前記ボリューム構造およびファイル構造の領域に記録されたデジタル情報を再生する手段と、
前記1以上の記録区画に記録されたデジタル情報を再生する手段と、
前記中間状態において前記仮アンカーポイント領域から前記アンカーポイントの情報を再生する手段を備えた再生装置。
【発明の詳細な説明】
【技術分野】
【０００１】
この発明は、片面多層情報記録媒体に対する記録方法の改良に関する。特に、適宜ファイナライズ処理が行われる規格化されたライトワンスメディア（片面２層のＤＶＤ−Ｒディスク等）を効率よく使用できるようにする方法・装置に関する。
【背景技術】
【０００２】
デジタルバーサタイルディスク（ＤＶＤ）の録画フォーマットには、セル販売されるＤＶＤソフトなどで使用されているＤＶＤビデオフォーマットと、ＤＶＤレコーダで使用され編集処理が可能なＤＶＤ−ＶＲフォーマットがある。従来、ＤＶＤ−ＶＲフォーマットは、ＤＶＤ−ＲＡＭやＤＶＤ−ＲＷで主に使用されてきた（特許文献１参照）。
【特許文献１】特開平９−２５９５３８
【発明の開示】
【発明が解決しようとする課題】
【０００３】
ＤＶＤ−ＲＡＭやＤＶＤ−ＲＷは書換え可能なメディアであり、編集処理を行うのに都合がよいが、メディアの単価が比較的高い。これに対し、ＤＶＤ−Ｒは比較的メディアが安価である。従来、ＤＶＤプレーヤとの再生互換性を重視する観点から、ＤＶＤ−ＲではＤＶＤビデオフォーマットでの録画が主流であったが、ＤＶＤ−ＶＲフォーマットによるＤＶＤ−Ｒへの録画も、ＤＶＤフォーラムの規格として公式に認められている。
【０００４】
近年、より大容量化への要求から、従来の片面１層ディスク（ＤＶＤ±Ｒ、ＤＶＤ±ＲＷ等）に加えて、片面２層ディスク（ＤＶＤ±Ｒ・ＤＬ、ＤＶＤ±ＲＷ・ＤＬ等：ＤＬはDual Layerの略）が開発され今後大きく普及が見込まれている（近い将来により多層の光ディスクが開発され市場投入されることが予想される）。
【０００５】
この発明の課題の１つは、片面２層ＤＶＤ−Ｒ等のライトワンスメディア（より広義には片面多層情報記録媒体）にＤＶＤ−ＶＲ等の編集処理が容易な録画フォーマットで映像情報の記録を可能にすることである。
【課題を解決するための手段】
【０００６】
この発明の一実施の形態に係る記録方法は、例えばリードインとリードアウトの間にボリューム構造およびファイル構造の領域と1以上の記録区画を含むことができる片面多層記録領域を持つ光ディスクへ（ＤＶＤ−ＶＲなどの優れた編集機能を持つフォーマットで）デジタル記録を行なう方法である。この方法において、ボリューム構造およびファイル構造の領域内に、アンカーポイントの情報書き込み用リザーブ領域（片面1層の場合にアンカーポイントの情報が書き込まれる位置ＬＳＮ＝２５６を含む図１５のＲＳ〜ＲＥ）を確保するフォーマッティングを行なう。そして、このリザーブ領域以外の位置に、ファイナライズ前の中間状態でアンカーポイントの情報を格納する仮アンカーポイント領域（Last-offset+1）を確保する（この仮アンカーポイント領域は片面１層の場合は定義されていない）。
【０００７】
ここで、例えば片面２層記録の前記中間状態では、仮アンカーポイント領域にアンカーポイント（Anchor Point）の情報を記録する。そして、（ファイナライズ処理などにより）仮アンカーポイント領域（Last-offset+1）内のアンカーポイント情報をリザーブ領域（図１５のＲＳ〜ＲＥ）内の所定位置（ＬＳＮ＝２５６）に書き込むように構成できる。
【０００８】
なお、アンカーポイント（Anchor Point）とは、論理セクタ番号（LSN）の特定セットの１つをさすもので、ボリュームディスクリプタシーケンス（Volume Descriptor Sequence：ボリュームに関する記述情報を含むシーケンス）のエクステント（extent：論理セクタまたは論理ブロックのセット）を特定するディスクリプタを記録できるように構成されたものである。
【発明の効果】
【０００９】
多彩な編集機能を持つフォーマット（具体的にはＤＶＤのＶＲモード）で片面１層ＤＶＤ−Ｒに記録を行う場合の履歴管理が、片面２層ＤＶＤ−Ｒでも可能となる。その際、中間状態（ファイナライズ前）でアンカーポイント情報が仮アンカーポイント領域に仮保存されているため、この仮保存されたアンカーポイント情報の内容をファイナライズ時に正規のアンカーポイント領域（リザーブ領域内）に書き込むことができる。これにより、ファイナライズ後に、例えばＤＶＤ−ＲＡＭ／±ＲＷ／±Ｒ（ＶＲモード）の再生が可能なプレーヤとの互換性をとることができる。
【発明を実施するための最良の形態】
【００１０】
以下、図面を参照してこの発明の実施の形態を説明する。図１は、この発明を適用した映像録画装置の実施の一形態を示す図である。この実施の形態では、記録媒体としてＤＶＤ−Ｒなどの光ディスクとハードディスクの双方を取り扱うことができる装置（ＨＤＤ付ＤＶＤ−ＶＲレコーダ）として示しているが、記録媒体として半導体メモリ等を適宜併用してもよい。図１において、各ブロックを大きく分けると、左側には記録部の主なブロックを示し、右側には再生部の主なブロックを示している。
【００１１】
図１の映像録画装置は、２種類のディスクドライブ部を有する。まず、ビデオファイルを構築できる情報記録媒体である第１のメディアとしての光ディスク（ＤＶＤ−ＲＡＭ、ＤＶＤ±ＲＷ、ＤＶＤ±Ｒなど）１００１を回転駆動し、情報の読み書きを実行するディスクドライブ部１００２を有する。また、第２のメディアとしてのハードディスク（ＨＤＤ）を駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系（波長が６５０ｎｍの赤色レーザ、あるいは４０５ｎｍもしくはそれ以下の青色レーザを用いる）、光学系などを有する。データプロセッサ部１００３は、記録または再生単位のデータを取り扱うもので、バッファ回路、変調・復調回路、エラー訂正部などを含む。
【００１２】
また図１の映像録画装置は、録画側を構成するエンコーダ部５０と、再生側を構成するデコーダ部６０と、装置本体の動作を制御するマイクロコンピュータブロック３０とを主たる構成要素としている。エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部５０の出力は、バッファメモリを含むフォーマッタ５１にて所定のＤＶＤ−ＲＡＭのフォーマットに変換され、先のデータプロセッサ部１００３に供給される。エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００１３】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。エンコーダ部５０に含まれるビデオエンコーダでは、デジタルビデオ信号はＭＰＥＧ２（またはＭＰＥＧ１もしくはＭＰＥＧ４−ＡＶＣ）規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１４】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤビデオフォーマット）や、ＤＶＤ-レコーディング規格で規定されたフォーマット（ＤＶＤ−ＶＲフォーマット）に変換される。
【００１５】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。またハードディスクあるいは光ディスク１００１に記録されている複数番組のビデオオブジェクトを、一部削除したり、異なる番組のオブジェクトをつなげたり、といった編集処理を行うこともできる。これは、この発明の一実施の形態で利用するＤＶＤ−ＶＲフォーマットが、取り扱うデータ単位を定義し、編集を容易にしているからである。
【００１６】
マイクロコンピュータブロック３０は、ＭＰＵ（マイクロプロセッシングユニット）、またはＣＰＵ（セントラルプロセッシングユニット）と、制御プログラム等（各フローチャート図で説明される制御を行なうファームウエア等）が書きこまれたファームウエアＲＯＭと、プログラム実行に必要なワークエリアを提供するためのワークＲＡＭなどを含んでいる。マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定、履歴情報検索処理などを実行する。
【００１７】
すなわち、マイクロコンピュータブロック３０は、システム全体を制御するために必要な情報処理部を有するもので、ファームウエアＲＯＭ３１ａ、ワークＲＡＭ３１、ディレクトリ検出部３２のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。さらに、マイクロコンピュータブロック３０は、区画（Rzone）の処理を行なう処理部３６と、履歴情報検索を行なう処理部３５と、録画を実行する際の管理情報の制御部３４と、編集を実行する際の管理情報の制御部３３と、片面２層（片面多層）の記録可能光ディスク（ＤＶＤ−Ｒ／＋Ｒ、ＤＶＤ−ＲＷ／＋ＲＷなど）の初期化（フォーマッティング）処理部３８、片面２層（片面多層）記録可能光ディスクのファイナライズ処理部３９などを備える。なお、部分使用済みディスクを初期化状態に戻す処理等はその他の処理部３７で処理される。
【００１８】
ＭＰＵの実行結果のうち、ユーザに通知すべき内容は、映像データ記録再生装置の表示部４３に表示されるか、またはモニターディスプレイ７５にＯＳＤ（オンスクリーンディスプレイ）表示される。またマイクロコンピュータブロック３０は、この装置を操作するための操作信号を与えるキー入力部４４を有する。このキー入力部４４は、例えば映像録画装置の本体上に設けた操作スイッチ類や、あるいはリモコン装置などに相当する。また、入力部４４は、この発明の一実施の形態に係る映像録画装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００１９】
なお、マイクロコンピュータブロック３０が、ディスクドライブ部１００２、ハードディスクドライブ部２００１、データプロセッサ部１００３、エンコーダ部５０および／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００２０】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰデコーダと、セパレータで分離されたオーディオデータ（オーディオパックの内容）をデコードするAデコーダとを有する。またデコードされた主映像にデコードされた副映像を適宜合成し、主映像にメニュー、ハイライトボタン、字幕やその他の副映像を重ねて出力するビデオプロセッサを備えている。
【００２１】
デコーダ部６０の出力ビデオ信号は、ビデオミキシング部７１に入力される。ビデオミキシング部７１では、テキストデータの合成が行われる。またビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００２２】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４１からのデジタル信号を直接モニターする時、エンコーダ部５０をスルーした信号を直接選択することも可能である。
【００２３】
なお、エンコーダ部５０のフォーマッタ５１では、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２４】
また図１の装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２５】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００２６】
次に、図２を参照して、管理情報と、コンテンツである実映像データとの関係を簡単に説明する。まず実映像データについて説明する。ここでは実映像データは記録メディア上で１つのファイルにまとめられているとする。１つのファイルは、１つまたは複数の実映像データストリームで構成されている。１つ１つの実映像データストリームは、例えば１回の録画処理により記録される単位であったりする。これは、例えばＤＶＤ−ＶＲ規格におけるＶＯＢ（ビデオオブジェクト）などに相当する。１つの実映像データストリームは、１つまたは複数のストリーム部分領域で構成される。これは、例えばＤＶＤ−ＶＲ規格におけるＶＯＢＵ（ビデオオブジェクトユニット）や、ＭＰＥＧ２規格におけるＧＯＰ（グループオブピクチャ）などに相当する。１つのストリーム部分領域は、複数パックから構成される。複数のパックとしては、情報パック、映像パック、音声パックなどが存在する。副映像パックが存在してもよい。
【００２７】
情報パックは、例えばＤＶＤビデオレコーディング（ＤＶＤ−ＶＲ）規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（DCI）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、またはコピー禁止（非許可）情報を含む。
【００２８】
映像パックはビデオデータがＭＰＥＧ２の方式で圧縮されたもので、パックヘッダ、パケットヘッダ、ビデオデータ部で構成される。音声パックはオーディオデータが、例えばリニアＰＣＭあるいはＭＰＥＧ、あるいはＡＣ−３などの方式で処理されたものであり、パックヘッダ、パケットヘッダ、オーディオデータ部で構成される。
【００２９】
次に、管理情報について説明する。管理情報の中に、実映像データの再生順序を管理する情報（再生順序情報）であるオリジナルタイトル（プログラム）情報が定義されている。これは、例えばＤＶＤ−ＶＲ規格におけるプログラムなどに相当する。個々のオリジナルタイトル情報（またはプログラム情報）の中には参照情報が定義されており、これは再生すべき対象となる実映像データに関する情報である実映像データ情報とリンクしている。これらは、例えばＤＶＤ−ＶＲ規格におけるセルとビデオオブジェクト情報（ＶＯＢＩ）などに相当する。このようにオリジナルタイトル（プログラム）は、再生順序を管理する情報（再生順序情報）およびそれ自身の実映像データを持ち、通常、録画時にはこのタイトルが作成される。
【００３０】
これに対し、再生順序を管理する情報（再生順序情報）のみで構成されているものもある。これがプレイリスト情報であり、例えばＤＶＤ−ＶＲ規格におけるプレイリストなどがこれに相当する。このプレイリスト情報はそれ自身の実映像データを持たず、図２に示すように、オリジナルタイトルの実映像データ情報に対してリンクしている参照情報を編集（削除、追加）することでプレイリストとして作成される。
【００３１】
実映像データ情報内にはタイムマップ情報が記述されている。このタイムマップ情報は、実映像データ情報に対応する実映像データストリームを構成している部分領域を指定する。管理情報のオリジナルタイトル情報あるいはプレイリスト情報の参照情報から実映像データ情報へのリンクは、論理アドレスで特定されている。またタイムマップ情報から実映像データストリーム及びその部分領域へのリンクは、実映像データストリームの番号、そのストリーム内の部分領域の数、個々の部分領域に対するエントリー番号、個々の部分領域への論理アドレスに基づいて行われている。このような構成により、録画された映像データの通常の再生のみならず、倍速／スロー再生や逆再生のような特殊再生、更にはシーンのサーチなどに対応することができる。
【００３２】
以下、図３以降の図を参照してこの発明の実施の形態の動作を説明する。以下の説明においては、この発明の一実施の形態に係る映像録画装置は、次のような構成を取るものとしている。すなわち、この映像録画装置は、ＤＶＤ録画規格（ＤＶＤ−ＶＲ規格）に基づいたＤＶＤ録画装置である。この場合、ＤＶＤディスク（通常はＤＶＤ−ＲＡＭディスクまたはＤＶＤ−ＲＷディスクであるが、ＤＶＤ−Ｒへのビデオレコーディングも可能）上にはＤＶＤ−ＶＲフォーマットと呼ばれるデータフォーマットで録画される。加えて、この映像録画装置は、ＤＶＤビデオ規格（ＤＶＤビデオ規格）に基づいてＤＶＤディスクへ録画する機能も有するものとする。この場合は、ＤＶＤディスク（ＤＶＤ−Ｒディスク等）上にはＤＶＤビデオフォーマットと呼ばれるデータフォーマットで録画される。
【００３３】
この発明の一実施の形態に係る映像録画装置では、書換え可能なＤＶＤ−ＲＡＭディスクやＤＶＤ−ＲＷディスクだけでなく、ライトワンスメディアであるＤＶＤ−Ｒディスクも使用できる。これらＤＶＤディスクに対して録画を実施する際のフォーマットは、ＤＶＤディスクの種類毎に一意に固定されるものではなく、例えばＤＶＤ−Ｒに対して、ＤＶＤ−ＶＲフォーマットまたはＤＶＤビデオフォーマットのいずれのフォーマットによっても録画が実施できるものとする。
【００３４】
また、以下の説明においては、この発明の一実施の形態に係る映像録画装置は、先に説明した図１のブロック図で示されるような、ＤＶＤとＨＤＤの２つの録画メディアを有するハイブリッド録画機であるとし、ＤＶＤとＨＤＤ相互間での映像情報のダビング（あるいはムーブ）が可能であるとする。ただし、この発明の実施の形態の内容は、ハイブリッド録画機だけに適用されるものではなく、ＤＶＤディスクへの録画機能のみを有した、ＤＶＤ単体の録画機（パーソナルコンピュータをソフトウエアでＤＶＤレコーダとして機能させるものも含む）に対しても適用できる。
【００３５】
また、この発明の一実施の形態に係る映像録画装置においては、録画されたタイトル内の部分領域をチャプターと呼称することとする。たとえばＤＶＤ−ＶＲフォーマットで録画された場合、チャプターは、タイトル内に設定された、ＤＶＤ−ＶＲ規格で定義されているエントリーポイント（ＥＰ）をその境界の目印として利用している。すなわち、タイトル内に設定したあるＥＰとその次のＥＰとで挟まれた区間をチャプターと呼ぶ。なお、タイトルの始点と終点については、ＥＰの有無に関わらずチャプターの境界とする。従って、タイトルの１番目のチャプターについては、その始点にＥＰが立っていないこともあり得る。
【００３６】
図３は、ＤＶＤ録画規格（ＤＶＤ−ＶＲ規格）で規定されているディレクトリとファイルの構成を示す概略図である。この図３は、ＤＶＤ−ＶＲ規格のVer１.１で規定されているディレクトリおよびファイルを例示している。ＤＶＤ−ＶＲ規格のVer１.１では、ルートディレクトリの下にＤＶＤ＿ＲＴＡＶというサブディレクトリを設けており、規格で規定されているファイルはこのＤＶＤ＿ＲＴＡＶの下に収められている。つまりＤＶＤ＿ＲＴＡＶの下には、図３に示す５種類のファイルのみが存在する。以下、個々のファイルについて説明する。
【００３７】
まず、ＶＲ＿ＮＡＮＧＲ．ＩＦＯは、オリジナルタイトル（プログラム）やプレイリストに対するナビゲーションデータである。これは先に説明した図２に示される管理情報に相当する。プレイリストやエントリーポイント（ＥＰ）などはこのＶＲ＿ＮＡＮＧＲ．ＩＦＯの中に記述されている。映像データに直接処理を施さなくても、このＶＲ＿ＮＡＮＧＲ．ＩＦＯの記述を変更することによって、不要なシーンの削除などの編集処理を施すことができる。従って、チャプター作成やプレイリスト編集などの編集処理を施す場合、主にこのＶＲ＿ＮＡＮＧＲ．ＩＦＯが処理の対象となる。また、このＶＲ＿ＮＡＮＧＲ．ＩＦＯには、録画に連動して実映像データに対するタイムマップ情報が書き込まれる。このＶＲ＿ＮＡＮＧＲ．ＩＦＯにはディスク全体に関わる情報も書き込まれるため、ＤＶＤディスクを初期化した際にただちに作成される。
【００３８】
ＶＲ＿ＮＡＮＧＲ．ＢＵＰは上記のＶＲ＿ＮＡＮＧＲ．ＩＦＯのバックアップファイルである。このＶＲ＿ＮＡＮＧＲ．ＢＵＰは規格上はオプションとされており、必ずしも存在するとは限らない。もしもＶＲ＿ＮＡＮＧＲ．ＢＵＰを使用するのであれば、そのファイルの内容はＶＲ＿ＮＡＮＧＲ．ＩＦＯと同じでなくてはならない。
【００３９】
一方、ＶＲ＿ＭＯＶＩＥ．ＶＲＯは、録画された動画像のＡＶ（Audio Visual）データファイルであり、先に説明した図２の実映像データに相当する。ここには、パック化された映像データ、音声データ、またサポートされている場合にはサブピクチャデータが多重化して収められている。ＶＲ＿ＳＴＩＬＬ．ＶＲＯファイルは、静止画像のＡＶデータファイルであり、ＶＲ＿ＭＯＶＩＥ．ＶＲＯと同様に、先に説明した図２の実映像データに相当する。ここにはパック化された映像データが収められている他、オプションとして音声データやサブピクチャデータが多重化されていることもある。また、ＶＲ＿ＡＵＤＩＯ．ＶＲＯファイルは、前記ＶＲ＿ＳＴＩＬＬ．ＶＲＯに収められた静止画像に対するアフレコ（アフターレコーディング）音声情報を収めたデータファイルである。
【００４０】
ＶＲ＿ＭＯＶＩＥ．ＶＲＯ、ＶＲ＿ＳＴＩＬＬ．ＶＲＯおよびＶＲ＿ＡＵＤＩＯ．ＶＲＯファイルは、ＤＶＤディスクを初期化した際には存在せず、実際に録画が行われた際に作成され、映像データや音声データが記録されることになる。なお、この３種類のファイルは必ず存在するものではなく、例えば静止画の記録機能やアフレコ機能を有していない映像録画装置にはＶＲ＿ＳＴＩＬＬ．ＶＲＯやＶＲ＿ＡＵＤＩＯ．ＶＲＯファイルが存在しないことがある。
【００４１】
ＤＶＤ−ＶＲ規格のVer１.１で規定されているファイルは以上であるが、それ以外に、映像録画装置の操作性の向上や機能の付加を目的として、その映像録画装置の独自の情報ファイルを作成することも可能である。その場合、それら独自の情報ファイルはＤＶＤ＿ＲＴＡＶの下に収めず、ルートディレクトリの直下あるいはルートディレクトリの下に作成した独自のサブディレクトリの下に収める。
【００４２】
図４は、この発明の一実施の形態に係る映像録画装置における録画処理の概略を説明するフローチャートである。この処理に入ると、まず、図１のモニター７５の画面等に、図示しないユーザメニューまたはダイアログボックスがオンスクリーン（ＯＳＤ）表示される（ステップＳＴ８００ａ）。このＯＳＤ表示は、これから録画するコンテンツ（放送番組等）の重要度に応じたフラグ設定をユーザが行えるように構成される。
【００４３】
具体的には、例えば図示しないリモコンのカーソルキーと決定キーの操作により、重要コンテンツであることを示すフラグ（例えばフラグ“11”；デフォルト設定）と、録画保存の確実性よりも使用ディスクの容量節約を優先することを示すフラグ（例えばフラグ“01” 、10”、または“00”）をユーザが選択できるようにする。これらユーザにより選択されたフラグは、例えば図１のＭＰＵ３０内のメモリ（ワークＲＡＭ３１等）に一旦記憶される。ユーザが何も選択しない（デフォルト）か、重要コンテンツであることを示すフラグがユーザの意図により選択されると（その場合はフラグ“11”）、その後の録画終了時にその録画に用いた区画（Rzone）が必ず閉じられるようになる（ステップＳＴ８００ｃイエス；これにより毎回の録画で区画クローズ時にディスクのＲＭＡ領域と記録領域の一部が消費される）。
【００４４】
一方、ユーザが使用ディスクの容量節約を優先することを示すフラグを選択する場合は、単に「録画終了時にその録画に用いた区画（Rzone）を閉じない」というフラグ（“00”）だけの場合（ユーザが区画を閉じる指令を出さない限りステップＳＴ８００ｃはいつもノー）と、その他に以下のような細かい内容の選択も可能に構成できる。
【００４５】
すなわち、ｎを１以上の整数としたときに「ｎ回の録画終了時に１度、最後の録画に用いた区画（Rzone）を閉じる」というフラグ（“01”）、あるいはｍを１〜９９の整数としたときに「使用ディスクの残量がｍ％（例えば未使用ディスク容量の３０％しか残っていない）状態になったら、ｎ回の録画終了時に１度、最後の録画に用いた区画（Rzone）を閉じる」というフラグ（“10”）をユーザメニュー等で選択可能に構成できる。ここで、ｎとｍはユーザがリモコン等を用いて任意に初期設定できるように構成するか、図１の装置がデフォルトで予め決めておくことができる。例えば、ｎ＝２、ｍ＝３０と設定されている場合、ユーザ選択により設定されたフラグが“01”では、ディスクの残量に関係なく、録画２回に一度区画が閉じられる（区画を閉じる時に消費されるディスクのＲＭＡ領域と記録領域が録画１回分節約される）。また、ユーザにより設定されたフラグが（“10”）では、ディスクの残量が３１％以上あるときは毎回の録画終了毎に区画が閉じられるが、残量が３０％（例えばステップＳＴ８０７で検知）以下になると、録画２回に一度区画が閉じられる（残量が少なくなったときのみ、区画クローズ時のＲＭＡ領域と記録領域の消費が節約される）。
【００４６】
上記フラグ設定後（あるいはユーザが何も設定せずデフォルト設定“11”が選択されたあと）、ユーザが図示しないリモコンの録画ボタンを押すか、図示しない録画予約タイマにより予約録画か始まると（ステップＳＴ８００ｂイエス）、録画開始要求がコールされる（ステップＳＴ８００）。次に、録画に使用できる記録領域の残量が確認される（ステップＳＴ８０１）。続くステップＳＴ８０２では、実際に録画を開始する前に、録画を行うための残量があるか否かを判別して処理を分岐している。仮に録画に使用できる残量が実質ゼロであると判定された場合（厳密な残量ゼロだけでなく、録画をスタートしても数分で残量が完全ゼロになってしまうような場合も実質ゼロに含めて取り扱うことができる）には、以後の録画処理を実施することなく、一連の処理を終了する。
【００４７】
一方、録画に使用できる残量がゼロではない場合には、その時点で区画が閉じられているかどうか判断する（ステップＳＴ８００ｄ）。閉じられていれば（ステップＳＴ８００ｄイエス）、ディスクの記録領域に図５他に例示するようなＡＶデータ（リアルタイムデータ）記録用の区画（Rzone）を作成し（ステップＳＴ８０３）、ステップＳＴ８０４に進んで録画を開始する。ステップＳＴ８０２の残量判断後の時点で区画が閉じられていなければ（ステップＳＴ８００ｃでノーであった後のＳＴ８００ｄノー）、ステップＳＴ８０３をスキップしてステップＳＴ８０４の録画処理に移行する（これは、例えば、リアルタイムデータの記録と変更ファイル／VAT_ICBの記録後に、その区画を閉じることなくリアルタイムデータの記録に入ることに対応する）。
【００４８】
なお、以後のステップＳＴ８０４からステップＳＴ８０７までの処理は主に録画と残量の確認であるが、これらは録画を行いながら逐次残量の確認を行うものである。きわめて短い時間の単位で録画と残量確認を切り換えて実施するもので、巨視的にはほぼ並列に実施されるイメージである。すなわち、ステップＳＴ８０４では録画処理を実施する。続くステップＳＴ８０５では録画による発生データ量を記録領域の残量から差し引いている。次に、ステップＳＴ８０６では録画停止要求がコールされたか否かを監視している。これは、ユーザの直接操作による手動録画の停止、あるいはタイマー設定による予約録画の停止、若しくはユーザの操作による予約録画の途中停止などが例として挙げられる。録画停止要求がコールされていると判別された場合には、続くステップＳＴ８０７をスキップしてステップＳＴ８０８へ進む。録画停止要求がコールされていないと判別された場合には、ステップＳＴ８０７へ進む。
【００４９】
ステップＳＴ８０７では、先にステップＳＴ８０５で録画による発生符号量を差し引いた残量を確認し、録画を継続するための残量があるか否かを判別して処理を分岐している。仮に残量がゼロであると判定された場合には、続くステップＳＴ８０８へ進む。一方、残量がゼロではない場合には、ステップＳＴ８０４に戻り、ステップＳＴ８０４〜ＳＴ８０７の処理を繰り返して録画を継続する。ステップＳＴ８０８では、残量がゼロになった、あるいは録画停止要求がコールされたかのいずれかの状態であるとみなして、録画を停止し、一連の処理を終了する。
【００５０】
次に、一連の録画が行われた区画を閉じるか否かが判定される（ステップＳＴ８００ｃ）。この判定は、ステップＳＴ８００ａで設定されたフラグ（“11”、“01”、“10”または“00”）に応じてなされる。すなわち、フラグが例えば“00”ではステップＳＴ８０８で録画を停止してもその録画区画を閉じることなく、ステップＳＴ８００ｂに戻る。（但しフラグが“00”でもユーザが図示しないリモコン操作で区画クローズを指令すれば、その録画区画を閉じる。）一方、例えばｎ＝２でフラグが“01”の場合は、ステップＳＴ８００〜ＳＴ８０８の録画処理の１回目は区画を閉じないが（ステップＳＴ８００ｃノー）、その２回目は区画を閉じる（ステップＳＴ８００ｃイエス、ＳＴ８０９）ように構成できる。
【００５１】
このような「ｎ回に１回の区画クローズ処理」は、図１のＭＰＵ３０内にｎの数値をプリセットする図示しないカウンタ（レジスタ）を設け、録画処理毎にこのカウンタを１づつカウントダウンし、カウント値が０になったときにステップＳＴ８０９の区画クローズ処理に移ってから再度ｎの数値を当該カウンタにプリセットすれば、実現できる。
【００５２】
さらに、 例えばｎ＝５、ｍ＝３０でフラグが“10”の場合、残量が３１％以上ではステップＳＴ８０８で録画を停止するとステップＳＴ８０９でその録画区画を必ず閉じる。一方、残量が３０％以下になると、ステップＳＴ８００〜ＳＴ８０８の録画処理の１〜４回目までは（ユーザから区画クローズが指令されない限り）区画を閉じないが（ステップＳＴ８００ｃノー）、その５回目は区画を閉じる（ステップＳＴ８００ｃイエス、ＳＴ８０９）ように構成できる。（なお、例えば残量がｍ＝３０％になったか否かはステップＳＴ８０７あるいはＳＴ８０１で確認できる。）ステップＳＴ８００ａで設定されたフラグが“11”の場合は、 ｎ、ｍの設定に関係なく、ステップＳＴ８０８で録画を停止すると、必ず録画区画を閉じる。
【００５３】
これにより、一連の録画が行われた区画が終了する。録画処理が終了し録画区画を閉じることになると（ステップＳＴ８００ｃイエス）、ステップＳＴ８０９において、録画内容に対応した管理情報（図３のＶＲ＿ＭＡＮＧＲ．ＩＦＯおよびそのバックアップファイル．ＢＵＰ）が作成され、かつ、区画の末尾に履歴情報（図６を参照して説明する“VAT_ICB with VAT”）が書き込まれる。
【００５４】
例えば、図５の例（ＤＶＤ−Ｒディスクを用いたＤＶＤ−ＶＲフォーマット記録）でいえば、一連の録画が区画０の“Rec 1”に対するものであれば、区画０のリードイン側から映像情報１（ＡＶデータのＶＲＯファイル情報）が記録され、その末尾側に管理情報（ＶＲ＿ＭＡＮＧＲ．ＩＦＯおよびその．ＢＵＰ）が記録され、その区画０の最後に履歴情報（VAT_ICB with VAT）が記録される。区画０の末尾位置（Ｐx0）は、例えば区画０の先頭からの“Rec 1”の記録情報長に対応して作成したアドレスにより示すことができ、このアドレス（区画０の末尾位置Ｐx0）は区画０の最後に記録された履歴情報（VAT_ICB with VAT）内に書き込むことができる。
【００５５】
同様に、図４のステップＳＴ８０４〜ＳＴ８０７一連の録画が図５の区画１の“Rec 2”に対するものであれば、区画０末尾位置PX0の直後から映像情報２（ＡＶデータのＶＲＯファイル情報）が記録され、その末尾側に管理情報（ＶＲ＿ＭＡＮＧＲ．ＩＦＯおよびその．ＢＵＰ）が記録され、その区画１の最後に履歴情報（VAT_ICB with VAT）が記録される。区画１の末尾位置（Ｐx1）は、区画０末尾位置PX0（＝区画１の先頭）からの“Rec 2”の記録情報長に対応して作成したアドレスにより示すことができ、このアドレス（区画１の末尾位置Ｐx1）は区画１の最後に記録された履歴情報（VAT_ICB with VAT）内に書き込むことができる。つまり、履歴情報（VAT_ICB with VAT）の内容は、録画処理などによる記録内容の変更を反映している。
【００５６】
なお、図５のような記録領域を持つＤＶＤ−Ｒディスクを初期化した際、ＵＤＦ（Universal Disk Format）のボリューム構造などのファイルシステムの情報や、初期状態の管理情報などは、区画０の開始位置より前のリードイン側先頭エリアに書き込まれる。この管理情報には、先に図３で説明したＶＲ＿ＮＡＮＧＲ．ＩＦＯやＶＲ＿ＮＡＮＧＲ．ＢＵＰといったＤＶＤ−ＶＲ規格で規定されている管理情報の他、映像録画装置の独自の情報ファイルの中で管理情報の位置付けにあるものが含まれることもある。
【００５７】
以上の処理（図４）の概要を一般化して纏めると、次のようになる。すなわち、あるＡＶコンテンツ（リアルタイムのデジタルデータ）記録後に該当記録区画を閉じるか否かを指定するフラグを（ＭＰＵ３０のメモリ内に）設定する処理（ステップＳＴ８００ａ）を設ける。そして、このフラグが第１の状態（フラグ“11”）のときは前記ＡＶコンテンツ記録後に該当記録区画を閉じるが（ステップＳＴ８００ｃイエス）、このフラグが前記第１の状態（“11”）以外のときは、その状態に応じて該当区画を閉じない（フラグ“00”）か、１以上の整数をｎとしたときにｎ回に１回閉じる（フラグ“01”または“10”）ように構成できる。
【００５８】
ところで、使用ディスクがＤＶＤ−ＲＡＭやＤＶＤ−ＲＷのような書き換え可能メディアの場合、編集処理などによって記録内容を変更するときは、対象となるデータを更新してディスクに書き戻すことが可能である。これに対してＤＶＤ−Ｒなどのライトワンスメディアでは、ディスクの記録内容を変更した場合、あるファイルの一部を変更したときでも、ディスク上の未記録の領域に新たにデータを記録し直す必要がある。つまり、編集処理を施した場合、更新したデータを上書きするのではなく、追記していく形となる。その際、そのファイルの管理情報や、更にそのファイル管理情報とリンクしている親ディレクトリの情報、更にはそのまた親ディレクトリの情報など、多くの管理情報を再構築する必要があり、このままでは非常に効率が悪い。
【００５９】
このような非効率を軽減するために、ＤＶＤ−Ｒに対して追記（incremental write）で記録していく場合には、ＵＤＦの規格により、ＶＡＴ（Virtual Allocation Table）と呼ばれる特殊なアドレス変換テーブルを使用することとされている。これを使用することにより、ディスクの記録内容を変更した場合、該変更したデータとＶＡＴを記録するだけで済み、リンクしている親ディレクトリの情報などの膨大なデータを全てにわたって変更して追記する必要は無くなる。図５でも、上記初期状態の管理情報を記録した後、その時点でのＶＡＴと、ＶＡＴを識別するためのＶＡＴ＿ＩＣＢが、初期化時に書き込まれる情報エリアの末尾に履歴情報（VAT_ICB with VAT）として書き込まれている。
【００６０】
以上は片面１層のＤＶＤ−Ｒと片面２層のＤＶＤ−Ｒ・ＤＬと共通する構成であるが、ＤＶＤ−Ｒ・ＤＬではさらに、リードアウト側にＤＬのボリューム構造およびファイル構造の情報エリアが確保されている。このリードアウト側「ＤＬのボリューム構造およびファイル構造」の構造はリードイン側（ＬＳＮ＝０〜６５）の「ボリューム構造およびファイル構造」と同じでよいが、その中に記録される情報内容は異なる（「ＤＬのボリューム構造およびファイル構造」の内容は後述する図１６に例示されている）。
【００６１】
図５に示すように、初期化時に書き込まれた情報の分を差し引いた残りの分が、録画や編集処理等のデータの追記に使用できる記録領域である。この発明の一実施の形態では、この記録領域の中に、編集処理のデータ保存に割り当てる第１のデータサイズと、録画用に割り当てる第２のデータサイズを設けることができる。なお、残り容量は、例えばファイルシステムに記録され、物理セクタ或いは論理セクタの記録済み状態を示すビットマップ情報若しくは管理情報で使用したアドレスとして把握されている論理アドレス（あるいはＲＭＡ領域内の“Last recorded address of RZone#n”）を検出することにより、把握可能である。
【００６２】
図６は、図５の記録領域内の区画末尾に記録される履歴情報（VAT_ICB with VAT）の具体例を示す図である。この履歴情報は、区画を閉じる処理（図４のステップＳＴ８０９）を行なうときに作成することができ、バイト位置ＢＰの番号順に、以下の情報を含んで構成されている。
【００６３】
すなわち、先頭のバイト位置ＢＰ＝０には、ディスクリプタタグが格納される。このタグには２種類あり、１つはＵＤＦで規定されるボリューム構造用のディスクリプタタグであり、もう１つはＵＤＦで規定されるファイル構造用のディスクリプタタグである。ＤＶＤ−Ｒ用のファイル構造では、Incremental recording mode（追記モード）に対して、ＶＡＴ（Virtual Allocation Table）とＶＡＴ＿ＩＣＢ（Virtual Allocation Table Infomation Control Block）が記録される。Incremental recording modeにおけるvirtual address（仮想アドレス）には以下の内容が割り当てられる。すなわち、virtual address＝０はファイルセットディスクリプタに対して用いられ、virtual address＝１はＩＣＢルートディレクトリに対して用いられる。そして、virtual address＝２〜２５５は、ＤＶＤ＿ＲＴＡＶディレクトリ、およびＤＶＤ＿ＲＴＡＶディレクトリ下に記録されたファイルのファイルエントリに対して割り当てられる。このような内容を含む履歴情報（VAT_ICB with VAT）を各区画の末尾に付けておくことにより、各区画の記録内容を管理できるようになる。
【００６４】
図７は、初期化後のライトワンスメディア（ＤＶＤ−Ｒディスク等）の状態を説明する図である。このメディアはリードイン側（ディスクの最内周側）に記録管理領域（ＲＭＡ：Recording Management Area）を持ちそのあとのリードインエリア内に制御データを持ち、その後のVolume Space（記録領域）内にユーザデータエリアが形成される。このユーザデータエリアには、ボリューム構造とファイル構造と仮想アロケーションテーブルの情報制御ブロック（VAT_ICB）の情報が書き込まれ、そこで一旦その領域（区画）が閉じられる。そして、この閉じられた区画のあとからリードアウト側に向かって新たな情報記録が行われる。なお、閉じられた区画の末尾位置は、ＲＭＡ内に記録されるfirst RMD（RZone#nの最終記録アドレス）から分かる。
【００６５】
図８は、初期化後に記録に使用したライトワンスメディアの状態を説明する図である。録画の回数に応じてＲＭＡ内に“first RMD”〜“latest RMD”が書き込まれ、最後の“latest RMD”に記述される「RZone#nの最終記録アドレス」により、そのメディアで最後に記録されて閉じられた区画の末尾位置が分かる。そして、この末尾位置にある履歴情報（仮想アロケーションテーブルを伴うVAT_ICB；図６参照）により、そのメディアの記録状態を把握できるようになっている。
【００６６】
初期化後のライトワンスメディアに記録が行われたあと、このメディアを初期化状態に戻す処理が可能である。この処理は、初期化後（ルートディレクトリを記録した状態）に区画が一旦閉じられている（Rzoneが一旦クローズされている）ことが前提となっている。例えば使用メディア（ＤＶＤ−Ｒ・ＤＬディスク等）を途中まで録画に使用したあと記録済みエリアにエラーが生じて使えなくなってしまった場合（あるいはエラーが生じたわけではないが記録済み領域をアクセスできないようにして新たなディスクとして再使用したい場合）において、修復でなく、初期化状態（図３のルートディレクトリ作成直後の状態）に戻すときに、この処理を利用できる。
【００６７】
まず、図示しないリモコン等を用いたユーザ指定により、初期化が指定される。すると、そのディスクのＲＭＡ領域内の「RZone#n最終記録アドレス（#nは記録済みの最終区画の番号を示す）」が読み取られ、「RZone#n最終記録アドレス」が示す位置からルートディレクトリまでの「記録されているＶＡＴ＿ＩＣＢ」の位置が計算される。算出された位置からルートディレクトリまでのＶＡＴ＿ＩＣＢが図１のＭＰＵ３０内のワークＲＡＭ３１に展開され、ＲＭＡ内の「RZone#n最終記録アドレス」から現在の書き込み開始位置（例えばRzoneクローズ位置の直後）が求められる。こうして求められた現在の書き込み開始位置に、ワークＲＡＭ３１に展開されたＶＡＴ＿ＩＣＢが書き込まれ、その位置でRzoneが閉じられる。以後、そのディスクは、Rzoneが閉じられた位置から図７のVolume Spaceのリードアウト側末尾まで（容量は新品ディスクよりは少なくなっているが）新品ディスク同様に再使用可能になる。
【００６８】
図９は、片面２層ＤＶＤ−Ｒ（ＤＶＤ−Ｒ・ＤＬ）のフォーマットの一例を説明する図である。片面１層ＤＶＤ−Ｒでは論理セクタ番号ＬＳＮ＝２５６のところに最初のアンカーポイント（First Anchor Point：図８中央のAnchor Volume Descriptor Pointerに対応）が設けられるが、 ＤＶＤ−Ｒ・ＤＬではＬＳＮ＝２５６を含む領域（ＬＳＮ＝２２４〜２７１）がFirst Anchor Point等のためにリザーブされる。そして、最終論理セクタ番号（Last）から所定量オフセットした位置（Last-offset+1）に、使用中のディスクで最新のアンカーポイントに関する情報を記録するための“仮Anchor Point”が設けられる。
【００６９】
なお、Anchor Pointは論理セクタ番号（LSN）の特定セットの１つをさすもので、Volume Descriptor Sequence（ボリュームに関する記述情報を含むシーケンス）のextent（論理セクタまたは論理ブロックのセット）を特定するディスクリプタを記録できるように構成されている。
【００７０】
ここで、“Ｎ”をアドレス可能スペース内で最後の論理セクタ番号としたときに、Once recording mode（１回モード）におけるアンカーポイントは、「論理セクタ番号ＬＳＮ＝２５６」と、「論理セクタ番号ＬＳＮ＝Ｎ」と、「論理セクタ番号ＬＳＮ＝Ｎ−２５６」のうちの少なくとも２箇所にアサインされる。
【００７１】
また、Incremental recording mode（追記モード：図６の説明参照）におけるアンカーポイントは、「論理セクタ番号ＬＳＮ＝２５６」と、クローズ状態およびファイナライズ状態における「論理セクタ番号ＬＳＮ＝Ｎ−２５６」の２箇所にアサインされる（“Ｎ”はアドレス可能スペース内で最後の論理セクタ番号）。
【００７２】
図１０は、ＤＶＤ−Ｒ・ＤＬのフォーマット処理の一例を説明するフローチャート図である。未使用のＤＶＤ−Ｒ・ＤＬディスク１００１が図１のディスクドライブ部１００２に装填されると、ＭＰＵ３０の制御プログラムは、装填されたディスクを初期化するかどうかユーザに問い合わせるダイアログ（図示せず）を画面表示する。ユーザがリモコン操作などで初期化実行を指示すると、ドライブ部に装填されたディスクの初期化（フォーマッティング）が開始される（ステップＳＴ１００）。この初期化処理により、フォーマット時のボリューム構造およびファイル構造がディスク１００１に記録される（図５参照）。この初期化処理において、ＬＳＮ＝２５６を含めたその前後のセクタ（図９の例ではＬＳＮ＝２２４〜２７１）がリザーブされ、さらに、Last Anchor Point（使用中ディスクの最新アンカーポイント）が、（片面１層の）ＤＶＤ−Ｒ（ＶＲ）規格で定められている正規の位置（ＬＳＮ＝２５６）からオフセットした位置（図９の例ではLast-offset+1の位置）に記録される。
【００７３】
図１１は、ＤＶＤ−Ｒ・ＤＬを用いた録画／編集における中間状態（ファイナライズ前）での処理例を説明するフローチャート図である。片面２層（ＤＬ）の中間状態では、ＤＶＤ−Ｒ（ＶＲ）の論理フォーマット形式で記録を行うため、アンカーポイントを正規の位置（ＬＳＮ＝２５６）に記録してしまうと、片面１層の場合のＤＶＤ−Ｒ（ＶＲ）の論理フォーマットと区別がつかなくなってしまう。そこで、片面２層（片面多層）の場合では、アンカーポイントの記録位置をＤＶＤ−Ｒ（ＶＲ）規格で定められている正規の位置（ＬＳＮ＝２５６）からオフセットを付加した位置（仮アンカーポイントの記録位置）に記録することで、ＤＶＤ−Ｒ（ＶＲ）の記録と区別し、片面１層の場合のＤＶＤ−Ｒ（ＶＲ）の論理フォーマットに類似した中間状態を片面２層（片面多層）の場合において維持するようにしている（図１３参照）。
【００７４】
図１２は、ＤＶＤ−Ｒ・ＤＬのファイナライズ処理の一例を説明するフローチャート図である。まず、ファイル構造をＤＬの規格に従った形式（図１３の構造から図１４の構造に変換）して記録し（ステップＳＴ１２０）、次にボリューム構造をＤＬの規格に従った形式（図１６）に変換して記録する（ステップＳＴ１２２）。このＤＬ形式に変換された情報の記録場所は、図５の例ではリードアウト側の「ＤＬのボリュームおよびファイル構造」のエリアとなる（ファイル構造の記録とボリューム構造の記録順序ＳＴ１２０とＳＴ１２２は逆でも良い）。続いてLast Anchor Point（該当ディスクの記録過程で最新のアンカーポイント）を記録した後（ステップＳＴ１２４）、図１７のようにリザーブしていた領域に、Last Anchor Pointに対応する内容でFirst Anchor Pointを記録する（ステップＳＴ１２６）（First Anchor PointとLast Anchor Pointの記録順序ＳＴ１２４とＳＴ１２６は逆でも良い）。最後に、メディア（ＤＶＤ−Ｒ・ＤＬ）をコンプリートディスクにファイナライズする（ステップＳＴ１２８）。
【００７５】
図１３は、ＤＶＤ−Ｒ・ＤＬ（ＶＲモード）のファイナライズ前におけるファイル構造の一例を説明するフローチャート図である。 ＤＶＤ−Ｒ・ＤＬ（ＶＲ）では、図５、図６等を参照して説明した“ＶＡＴ”によりファイナライズ前の中間状態における記録内容が管理される。すなわち、ルートディレクトリ、ファイル、データそれぞれのアロケーション（またはそのアロケーションに対応する記録内容）が“ＶＡＴ”の記述を参照することにより、図示矢印で例示されるようにリンクされる。
【００７６】
具体的には、ＶＡＴの最初（０番目）のディスクリプタでルートディレクトリのFile Set Descriptorが参照され、このFile Set DescriptorのRoot Directory ICB=1でＶＡＴの１番目のFile Entryが参照される。このＶＡＴの１番目でルートディレクトリのFile Entryが参照されると、このFile EntryのAllocation Descriptorでルートディレクトリのファイル識別子ディスクリプタＦＩＤが参照され、このＦＩＤのICB=2でＶＡＴの２番目のFile Entryが参照される。このＶＡＴの２番目でファイルDVD_RTAV（図３）のFile Entryが参照されると、このFile EntryのAllocation DescriptorでDVD_RTAVのＦＩＤが参照され、このＦＩＤのICB=3でＶＡＴの３番目のFile Entryが参照される。このＶＡＴの３番目でオブジェクトVR_MOVIE.VRO（図３）のFile Entryが参照されると、このFile EntryのAllocation DescriptorでVR_MOVIE.VROのファイルデータが参照され、対応するストリームデータへアクセスできるようになる。
【００７７】
ＤＶＤ−Ｒ・ＤＬ（ＶＲ）のファイナライズ前の中間状態では、上記のような“ＶＡＴ”を用いた情報管理により、ファイナライズ後と同様なボリュームおよびファイル管理が可能となる。
【００７８】
図１４は、ＤＶＤ−Ｒ・ＤＬ（ＶＲモード）のファイナライズ後におけるファイル構造（ＤＶＤ−ＲＡＭ／ＶＲモードのファイル構造相当）の一例を説明するフローチャート図である。ＤＶＤ−Ｒ（ＶＲ）の論理フォーマット形式で記録したＤＶＤ−Ｒ・ＤＬメディアは、ＤＶＤ−ＲＡＭ／ＲＷ（ＶＲ）の再生が可能なプレーヤ（ＶＡＴに依存しない再生を行なうプレーヤ）との互換をとるため、ファイナライズ処理のなかでボリューム構造とファイル構造の書き換えを行う（図１６参照）。
【００７９】
この書き換えにより、各ディスクリプタ（File Set Descriptor、File Identifier Descriptor、Allocation Descriptor等）がリンク先のボリュームまたはファイルに関する記述を含むようになる。（各ディスクリプタの場所はＬＳＮ＝２５６にあるアンカーポイントの情報からわかる。）これにより、前述した“ＶＡＴ”を仲介する管理（図１３の矢印で例示したような情報リンク）に代わって、“ＶＡＴ”を用いない管理（図１４の矢印で例示したような情報リンク）を行えるようになる。
【００８０】
具体的には、ルートディレクトリのFile Set DescriptorでルートディレクトリのFile Entryが参照されると、このFile EntryのAllocation Descriptorでルートディレクトリのファイル識別子ディスクリプタＦＩＤが参照され、このＦＩＤまたはそのＩＣＢでファイルDVD_RTAV（図３）のFile Entryが参照される。すると、このFile EntryのAllocation DescriptorでDVD_RTAVのＦＩＤが参照され、このＦＩＤまたはそのＩＣＢでオブジェクトVR_MOVIE.VRO（図３）のFile Entryが参照される。すると、このFile EntryのAllocation DescriptorでVR_MOVIE.VROのファイルデータが参照され、対応するストリームデータへアクセスできるようになる。
【００８１】
ＤＶＤ−Ｒ・ＤＬ（ＶＲ）のファイナライズ後のコンプリートディスク（図１２のステップＳＴ１２８の処理後）では、上記のような“ＶＡＴ”を仲介しない情報管理により、ＤＶＤ−ＲＡＭ／ＲＷ（ＶＲ）の再生が可能なプレーヤ（ＶＡＴに依存しない再生を行なうプレーヤ）との再生互換を確保した、ボリュームおよびファイル管理が可能となる。
【００８２】
図１５は、片面２層ＤＶＤ−Ｒ（ＤＶＤ−Ｒ・ＤＬ）のフォーマットの他例を説明する図である。この図は、リザーブ領域に関して図９の例とは異なる表記方法で、ＤＬのフォーマット処理後のメディアの記録状態を例示している。ＤＬのフォーマット処理後（ファイナライズ前）では、ＤＶＤ−Ｒ（ＶＲ）規格で定められているＶＡＴを使用して記録を行なう。２５６セクタを含めた前後のセクタ（ＬＳＮ＝ＲＳ〜ＲＥ）をリザーブしておくことにより、メディアのファイナライズ時に、仮アンカーポイントに書き込んでおいた情報を、リザーブした位置に書き込む（図１０のステップＳＴ１００；図１７参照）。これにより、２５６セクタに記録されるべきアンカーポイントの情報がコンプリートディスクおいて確保される。
【００８３】
図１６は、片面２層ＤＶＤ−Ｒ（ＤＶＤ−Ｒ・ＤＬ）のボリューム構造の一例を説明する図である。この例は、ＤＶＤ−Ｒ・ＤＬディスクに対応するファイナライズで記録される「ファイル構造とボリューム構造」を例示している。具体的には、論理セクタ番号ＬＳＮ＝Ｎ〜（Ｓ−１）にファイル構造の情報（File Set Descriptor/File Identifier Descriptor/File Entry/Extended File Entry等：図１５の例ではＬＳＮ＝ＲＥ＋１以降の情報）が書き込まれる。また、論理セクタ番号ＬＳＮ＝Ｓ〜（Ｓ＋６４）にボリューム構造の情報（Primary Volume Descriptor等：図１５の例ではＬＳＮ＝４８以降の情報に対応）が書き込まれる。
【００８４】
図１７は、片面２層ＤＶＤ−Ｒ（ＤＶＤ−Ｒ・ＤＬ）のFirst Anchor Pointの書き換え例を説明する図である。この例では、リザーブ領域（ＬＳＮ＝ＲＳ〜ＲＥ）中のＬＳＮ＝２５６にFirst Anchor Pointの情報が書き込まれるようになっている。リザーブ領域（ＬＳＮ＝ＲＳ〜ＲＥ）中のその他の領域は使わないときは全て“０”等で埋めておくが、将来必要が生じたときに別の情報（例えば2ndからLastまでの全てのAnchor Pointの情報、またはその内の一部のAnchor Pointの情報）を書き込むこともできる。
【００８５】
＜実施の形態のまとめ＞
（１）ＤＶＤ−Ｒ・ＤＬ（Dual Layer）とは、ＤＶＤ−Ｒメディアの片面２層のＤＶＤメディアのことである。ＤＬ規格で定められているファイルシステムの論理フォーマットは、コンプリートディスク（ファイナライズしたメディア）の状態で、ＤＶＤ−ＲＡＭ／ＲＷ（ＶＲ）の再生が可能なプレーヤとの互換をとる。
【００８６】
ＤＬ規格の論理フォーマットは、コンプリートディスクの状態が規格で定められているが、記録途中の状態は特に規定されていない。そこで、記録途中の状態（中間状態）で、片面１層のＤＶＤ−Ｒ（ＶＲ）の規格で定められている論理フォーマットを用いて記録することで、ＤＶＤ−Ｒ（ＶＲ）規格特有の履歴管理を中間状態でも実現できるようにする。
【００８７】
（２）ファイナライズ処理時に記録するため、片面多層（２層：ＤＬ）メディアのフォーマット時に、アンカーポイントの書き込み領域をリザーブする（図９、図１５参照）。
【００８８】
（３）片面２層（ＤＬ）の中間状態では、ＤＶＤ−Ｒ（ＶＲ）の論理フォーマットで記録するが、アンカーポイントの記録位置のみ変更する（仮アンカーポイントの位置へオフセットさせる）ことにより、片面1層のＤＶＤ−Ｒ（ＶＲ）の論理フォーマットで記録されたものと区別する（図９、図１５参照）。
【００８９】
（４）片面２層（ＤＬ）のファイナライズ処理では、図９のようなＶＡＴを用いる記録から、ＶＡＴを用いないファイル構造（図１４）及びボリューム構造への書き換え（図１６、図１７）記録を行うことにより、ＤＬに対応した論理フォーマットに変換する。
【００９０】
＜実施の形態による効果＞
（１）ＤＶＤ−Ｒ（ＶＲ）には、１フレーム単位での編集や２カ国語放送の同時録画が可能となる等のメリットがあるが、互換性が低いというデメリットもある。そこで、この発明の実施の形態では、ＤＬの中間状態での記録をＤＶＤ−Ｒ（ＶＲ）の規格で定められているＶＡＴ（Virtual Allocation Table）を使用して記録することにより、履歴管理を可能とし、１フレーム単位の編集や２カ国語放送の同時録画等を可能とする。さらに、ファイナライズ処理時にボリューム構造及びファイル構造をＤＬの規格で定められている形式（ＬＳＮ＝２５６のところにアンカーポイントの情報配置する）に再構築することにより、ＤＶＤ−ＲＡＭ／ＲＷ（ＶＲ）の再生が可能なプレーヤとの互換をとる。
【００９１】
なお、この発明は前述した実施の形態に限定されるものではなく、現在または将来の実施段階では、その時点で利用可能な技術に基づき、その要旨を逸脱しない範囲で種々に変形することが可能である。たとえば、片面多層ディスクとしては、厚み０．６mmの基盤を２枚張り合わせたＤＶＤ仕様の光ディスクの表面から０．６mm付近に２以上の記録層を設け、さらに、その表面から０．１mm付近に別の記録層を設けた構造を採用することができる。このような構造の多層ディスクに対してもこの発明を実施できる（その場合、ファイナライズ後のアンカーポイントの記録位置は、適宜ＬＳＮ＝２５６以外のリザーブ領域内に設定してもよい）。
【００９２】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００９３】
【図１】この発明の一実施の形態に係る映像録画装置の概要を説明するブロック図。
【図２】この発明の一実施の形態における管理情報と実映像データとの関係を説明する図。
【図３】ＤＶＤ録画規格（ＤＶＤ−ＶＲ規格）で規定されているディレクトリとファイルの構成例を説明する概略図。
【図４】この発明の一実施の形態に係る映像録画装置における録画処理の一例を説明するフローチャート図。
【図５】ＤＶＤ−ＲディスクにＤＶＤ−ＶＲフォーマットで録画が行われたときの記録領域の変遷の一例を説明する説明図。
【図６】図５の記録領域内の区画末尾に記録される履歴情報（VAT_ICB with VAT）の具体例を示す図。
【図７】初期化後のライトワンスメディアの状態を説明する図。
【図８】初期化後に記録に使用したライトワンスメディアの状態を説明する図。
【図９】片面２層ＤＶＤ−Ｒ（ＤＶＤ−Ｒ・ＤＬ）のフォーマットの一例を説明する図。
【図１０】ＤＶＤ−Ｒ・ＤＬのフォーマット処理の一例を説明するフローチャート図。
【図１１】ＤＶＤ−Ｒ・ＤＬを用いた録画／編集における中間状態（ファイナライズ前）での処理例を説明するフローチャート図。
【図１２】ＤＶＤ−Ｒ・ＤＬのファイナライズ処理の一例を説明するフローチャート図。
【図１３】ＤＶＤ−Ｒ・ＤＬ（ＶＲモード）のファイナライズ前におけるファイル構造の一例を説明するフローチャート図。
【図１４】ＤＶＤ−Ｒ・ＤＬ（ＶＲモード）のファイナライズ後におけるファイル構造（ＤＶＤ−ＲＡＭ／ＶＲモードのファイル構造相当）の一例を説明するフローチャート図。
【図１５】片面２層ＤＶＤ−Ｒ（ＤＶＤ−Ｒ・ＤＬ）のフォーマットの他例を説明する図。
【図１６】片面２層ＤＶＤ−Ｒ（ＤＶＤ−Ｒ・ＤＬ）のボリューム構造の一例を説明する図。
【図１７】片面２層ＤＶＤ−Ｒ（ＤＶＤ−Ｒ・ＤＬ）のFirst Anchor Pointの書き換え例を説明する図。
【符号の説明】
【００９４】
３０…マイクロコンピュータブロック、３１…ワークＲＡＭ、３１ａ…ファームウエアＲＯＭ、３２…ディレクトリ検出部、３３…編集時の管理情報制御部、３４…録画時の管理情報制御部、３５…履歴情報検索処理部、３６…区画処理部、３８…初期化処理部、３９…ファイナライズ処理部、４１…ＡＶ入力部、４２…ＴＶチューナ、４３…表示部、４４…キー入力部、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ部。
【図１】
2006323889.tif 000003
【図２】
2006323889.tif 000004
【図３】
2006323889.tif 000005
【図４】
2006323889.tif 000006
【図５】
2006323889.tif 000007
【図６】
2006323889.tif 000008
【図７】
2006323889.tif 000009
【図８】
2006323889.tif 000010
【図９】
2006323889.tif 000011
【図１０】
2006323889.tif 000012
【図１１】
2006323889.tif 000013
【図１２】
2006323889.tif 000014
【図１３】
2006323889.tif 000015
【図１４】
2006323889.tif 000016
【図１５】
2006323889.tif 000017
【図１６】
2006323889.tif 000018
【図１７】
2006323889.tif 000019